(57)【要約】【課題】簡単な操作で、デジタルカメラやカメラ付携帯電話機等の撮影機器や各種メディアに記録された画像データをＣＤ−Ｒ等の情報記録媒体にコピーすることができるデータコピープログラム及びデータコピー端末の提供。【解決手段】メディア１３の数量や撮影機器の台数、情報記録媒体１６の枚数の入力や問い合わせに対するＹ／Ｎの選択を行う操作部１０及び表示部９と、メディアスロット２と、接続端子１１と、ＣＤ−Ｒドライブ８と、メディアや情報記録媒体のマウント信号を検知し入力された数値やＹ／Ｎの選択結果を参照して読み取り／書き込み動作を制御するＣＰＵと、コンピュータを上記制御手段として機能させるデータコピープログラムや画像データを記憶する記憶部とを備えるものであり、メディアや撮影機器から読み取った画像データが自動的に情報記録媒体にコピーされ、バックアップが可能となる。【選択図】図１
2004199854.tif 000002
【特許請求の範囲】
【請求項１】
コンピュータを、
何枚のコンピュータ読取可能な情報記録媒体又は何台のコンピュータ認識可能な機器に記録されたデータから１枚のコンピュータ読取可能な情報記録媒体に記録するかの情報の受信手段として機能させる、ことを特徴とするプログラム。
【請求項２】
前記コンピュータを、
前記受信した情報に基づき、データ記録手段に、受信した枚数のコンピュータ読取可能な情報記録媒体又は受信した台数のコンピュータ認識可能な機器に記録されたデータを１枚のコンピュータ読取可能な情報記録媒体に記録させる手段として機能させる、ことを特徴とする請求項１記載のプログラム。
【請求項３】
コンピュータを、
コンピュータ読取可能な情報記録媒体又はコンピュータ認識可能な機器に記録されたデータが、他のコンピュータ読取可能な情報記録媒体又はコンピュータ認識可能な機器に記録されたデータと共に１枚のコンピュータ読取可能な情報記録媒体に記録されるべきか否かの情報の受信手段として機能させる、ことを特徴とするプログラム。
【請求項４】
前記コンピュータを、
前記受信した情報に基づき関連付けられたコンピュータ読取可能な情報記録媒体又はコンピュータ認識可能な機器に記録されたデータを、データ記録手段に、１枚のコンピュータ読取り可能な情報記録媒体に記録させる手段として機能させる、ことを特徴とする請求項３記載のプログラム。
【請求項５】
コンピュータを、
コンピュータ読取可能な情報記録媒体又はコンピュータ認識可能な機器に記録されるデータを、何枚のコンピュータ読取可能な情報記録媒体に記録するかの情報の受信手段として機能させる、ことを特徴とするプログラム。
【請求項６】
前記コンピュータを、
前記受信した情報に基づき、データ記録手段に、前記データを受信した枚数のコンピュータ読取可能な情報記録媒体に記録させる手段として機能させる、ことを特徴とする請求項５記載のプログラム。
【請求項７】
コンピュータを、
データが記録されるコンピュータ読取可能な情報記録媒体がデータ記録手段において書き込み可能な状態となったことを示す信号を、前記コンピュータ読取可能な情報記録媒体へのデータの記録指示の信号として受信する受信手段として機能させる、ことを特徴とするプログラム。
【請求項８】
コンピュータを、
データが読み取られるコンピュータ読取可能な情報記録媒体又はコンピュータ認識可能な機器がデータ読み取り手段において読み出し可能な状態となったことを示す信号、及び、データが記録されるコンピュータ読取可能な情報記録媒体がデータ記録手段において書き込み可能な状態となったことを示す信号を、前記コンピュータ読取可能な情報記録媒体へのデータの記録指示の信号として受信する受信手段として機能させる、ことを特徴とするプログラム。
【請求項９】
コンピュータを、
第１のコンピュータ読取可能な情報記録媒体に記録されたデータが第２のコンピュータ読取可能な情報記録媒体に記録されると、前記第１のコンピュータ読取可能な情報記録媒体に記録されたデータをデータ消去手段によって消去させる手段として機能させる、ことを特徴とするプログラム。
【請求項１０】
コンピュータを、
第１のコンピュータ読取可能な情報記録媒体に記録されたデータが第２のコンピュータ読取可能な情報記録媒体に記録されると、前記第１のコンピュータ読取可能な情報記録媒体に記録されたデータをデータ消去手段によって消去させるか否かを質問する情報を表示手段に表示させる手段として機能させる、ことを特徴とするプログラム。
【請求項１１】
前記コンピュータを、
前記第１のコンピュータ読取可能な情報記録媒体に記録されたデータを消去する指示の信号として受信する受信手段として機能させる、ことを特徴とする請求項１０記載のプログラム。
【請求項１２】
前記コンピュータを、
請求項１乃至４のいずれか一に記載の手段、及び、請求項５乃至１１のいずれか一に記載の手段として機能させる、ことを特徴とするプログラム。
【請求項１３】
データの読み取り対象となる第１のコンピュータ読取可能な情報記録媒体又はコンピュータ認識可能な機器からデータを読み取る手段と、
データの書き込み対象となる第２のコンピュータ読取可能な情報記録媒体にデータを記録する手段と、
何枚の前記第１のコンピュータ読取可能な情報記録媒体又は何台の前記コンピュータ認識可能な機器に記録されたデータから１枚の前記第２のコンピュータ読取可能な情報記録媒体に記録するかの情報を設定する手段と、
前記設定された情報に基づき、前記データ記録手段に、受信した枚数の前記第１のコンピュータ読取可能な情報記録媒体又は受信した台数の前記コンピュータ認識可能な機器に記録されたデータを１枚の前記第２のコンピュータ読取可能な情報記録媒体に記録させる制御を行う手段と、を備えることを特徴とするデータコピー端末。
【請求項１４】
データの読み取り対象となる第１のコンピュータ読取可能な情報記録媒体又はコンピュータ認識可能な機器からデータを読み取る手段と、
データの書き込み対象となる第２のコンピュータ読取可能な情報記録媒体にデータを記録する手段と、
前記第１のコンピュータ読取可能な情報記録媒体又は前記コンピュータ認識可能な機器に記録されたデータが、他の第１のコンピュータ読取可能な情報記録媒体又はコンピュータ認識可能な機器に記録されたデータと共に１枚の前記第２のコンピュータ読取可能な情報記録媒体に記録されるべきか否かの情報を設定する手段と、
前記設定された情報に基づき関連付けられた前記第１のコンピュータ読取可能な情報記録媒体又は前記コンピュータ認識可能な機器に記録されたデータを、データ記録手段に、１枚の前記第２のコンピュータ読取り可能な情報記録媒体に記録させる制御を行う手段と、を備えることを特徴とするデータコピー端末。
【請求項１５】
データの読み取り対象となる第１のコンピュータ読取可能な情報記録媒体又はコンピュータ認識可能な機器からデータを読み取る手段と、
データの書き込み対象となる第２のコンピュータ読取可能な情報記録媒体にデータを記録する手段と、
前記第１のコンピュータ読取可能な情報記録媒体又は前記コンピュータ認識可能な機器に記録されるデータを、何枚の前記第２のコンピュータ読取可能な情報記録媒体に記録するかの情報を設定する手段と、
前記設定された情報に基づき、前記データ記録手段に、前記データを受信した枚数の前記第２のコンピュータ読取可能な情報記録媒体に記録させる制御を行う手段と、を備えることを特徴とするデータコピー端末。
【請求項１６】
データの読み取り対象となる第１のコンピュータ読取可能な情報記録媒体又はコンピュータ認識可能な機器からデータを読み取る手段と、
データの書き込み対象となる第２のコンピュータ読取可能な情報記録媒体にデータを記録する手段と、
前記第２のコンピュータ読取可能な情報記録媒体が前記データ記録手段において書き込み可能な状態となったことを示す信号を、前記第２のコンピュータ読取可能な情報記録媒体へのデータの記録指示の信号として受信する手段と、を備えることを特徴とするデータコピー端末。
【請求項１７】
データの読み取り対象となる第１のコンピュータ読取可能な情報記録媒体又はコンピュータ認識可能な機器からデータを読み取る手段と、
データの書き込み対象となる第２のコンピュータ読取可能な情報記録媒体にデータを記録する手段と、
前記第１のコンピュータ読取可能な情報記録媒体又は前記コンピュータ認識可能な機器が前記データ読み取り手段において読み取り可能な状態となったことを示す信号、及び、前記第２のコンピュータ読取可能な情報記録媒体が前記データ記録手段において書き込み可能な状態となったことを示す信号を、前記第２のコンピュータ読取可能な情報記録媒体へのデータの記録指示の信号として受信する手段と、を備えることを特徴とするデータコピー端末。
【請求項１８】
データの読み取り対象となる第１のコンピュータ読取可能な情報記録媒体又はコンピュータ認識可能な機器からデータを読み取る手段と、
データの書き込み対象となる第２のコンピュータ読取可能な情報記録媒体にデータを記録する手段と、
前記第１のコンピュータ読取可能な情報記録媒体に記録されたデータが前記第２のコンピュータ読取可能な情報記録媒体に記録されると、前記第１のコンピュータ読取可能な情報記録媒体に記録されたデータを前記データ読み取り手段によって消去させる制御を行う手段と、を備えることを特徴とするデータコピー端末。
【請求項１９】
データの読み取り対象となる第１のコンピュータ読取可能な情報記録媒体又はコンピュータ認識可能な機器からデータを読み取る手段と、
データの書き込み対象となる第２のコンピュータ読取可能な情報記録媒体にデータを記録する手段と、
前記第１のコンピュータ読取可能な情報記録媒体に記録されたデータが前記第２のコンピュータ読取可能な情報記録媒体に記録されると、前記第１のコンピュータ読取可能な情報記録媒体に記録されたデータを前記データ読み取り手段によって消去させるか否かの情報を設定する手段と、
前記設定された情報を、前記第１のコンピュータ読取可能な情報記録媒体に記録されたデータを消去する指示の信号として受信する手段と、を備えることを特徴とするデータコピー端末。
【請求項２０】
請求項１３又は１４に記載の手段、及び、請求項１５乃至１９のいずれか一に記載の手段とを備える、ことを特徴とするデータコピー端末。
【請求項２１】
ＯＳとしてＩＴＲＯＮが使用され、記憶手段として少なくとも１つの前記第１のコンピュータ読取可能な情報記録媒体又は１台の前記コンピュータ認識可能な機器に記録されたデータを格納可能な容量のＲＡＭを備えることを特徴とする請求項１３乃至２０のいずれか一に記載のデータコピー端末。
【発明の詳細な説明】
【技術分野】
【０００１】
本発明は、データコピープログラム及びデータコピー端末に関し、特に、デジタルカメラやカメラ付携帯電話機等の撮影機器、該機器に装着される各種メディアに記録された画像データをＣＤ−Ｒ、ＤＶＤ−Ｒ等の情報記録媒体にコピーするデータコピープログラム及びデータコピー端末に関する。
【背景技術】
【０００２】
近年、デジタルカメラやカメラ付携帯電話機などの撮影機器の普及に伴い、写真画像をデジタルデータとして利用する顧客が増えている。このような顧客は、デジタルカメラをパソコンに接続して撮影した写真の画像データを転送したり、カメラ付き携帯電話機の無線通信機能を利用して画像データをパソコンに転送したり、デジタルカメラに装着される各種メディアをパソコンのスロットに挿入して画像データを読み込む等の方法により、パソコン内に画像データを蓄積し、パソコンに予めインストールされている画像表示ソフトを用いて画像データの表示、閲覧を行っている。
【０００３】
また、画像データを写真プリントとして出力したり、画像データを基にポストカード等のデザインプリントを作成するサービスも行われており、このようなサービスを利用することにより、画像データを写真プリントとして閲覧することが可能となる。例えば、デジタルカメラの画像データをプリントするサービスでは、顧客がデジタルカメラやデジタルカメラ用の各種メディアをコンビニエンスストア等の取次店など持ち込むと、取次店ではデジタルカメラやメディアから画像データを読み取り、注文情報と共にフォトサービス店舗等送り、該店舗に設置された画像形成装置を用いて所望の画像をプリントした後、注文を受けた取次店を介して顧客に提供する。
【０００４】
しかしながら、このような方法では、取次店において顧客からの注文をいかなる態様で受けて、画像形成装置へと伝達するかが問題であり、取次店側で手書きで注文票を作成する方法では取次店での注文受付に手間がかかるという問題がある。そこで、取次店に注文受付を行う端末を設置し、該端末で顧客が注文を行う方法が行われており、特開２０００−３２１６７７号公報には、デジタルカメラで撮影された画像のプリント注文をより簡単に行うことができるプリント注文受付器が開示されている。
【０００５】
上記公報によれば、プリント注文受付器に、画像データを記録したメディアから、画像データを読み出す読み出し手段と、該読み出し手段から読み出された画像データを基にして画像の表示を行う画像表示手段と、該画像表示手段に表示された画像の中からプリントすべき画像を選択する選択手段と、選択された画像を確認する確認手段と、を有し、確認手段により画像が選択確認されたことを条件に、選択確認された画像に対する画像データが予め決定されている記録エリアに記録されるため、容易にプリントの注文を行うことができる
【０００６】
【特許文献１】特開２０００−３２１６７７号公報（第３−６頁、第１図）
【発明の開示】
【発明が解決しようとする課題】
【０００７】
従来のフィルムカメラで写真を撮影する場合、写真プリントとして出力しないと写真画像を確認することができないため、通常、顧客はフィルムの現像とプリントとをフォトサービス店に依頼することになるが、デジタルカメラで写真を撮影する場合は、デジタルカメラのモニタやパソコンで写真を閲覧することができるため、プリントとして出力することなく写真を撮影したまま画像データが放置される場合が多い。
【０００８】
特に、撮影機器やパソコンの操作に不慣れな顧客の場合は、デジタルカメラやカメラ付き携帯電話機からパソコンに画像データを転送したり、各種メディアから画像データを読み出すことは容易な作業ではなく、せっかく写真を撮影しても有効に利用されることなく画像データが上書きされてしまう場合が多い。また、パソコンによってはデジタルカメラやカメラ付き携帯電話機との接続ができなかったり、各種メディアの挿入スロットを備えていないものもあり、この場合には写真をパソコン上で利用することができない。
【０００９】
また、上記公報記載の方法を用いることにより多数の画像データが記録されたメディアからプリント注文すべき画像データのみが記録されたメディアを作成することができ、プリント注文を容易に行うことができるが、そもそも画像データはデジタルカメラや各種メディアに分散して記録されており、どのメディアやどの機器にどのような画像データが記録されているかが分からないと上記方法を利用することができない。
【００１０】
更に、画像データは撮影したユーザ自身が楽しむのみならず、友人、知人等に提供する場合もあり、その場合、顧客自らがデジタルカメラや各種メディアから画像データを読み取ってＣＤ−Ｒ等の他の情報記録媒体に記録するといった作業が必要であるが、このような画像データのコピー作業をパソコン操作に不慣れな顧客に求めるのは酷であり、顧客のパソコンにＣＤ−Ｒ、ＤＶＤ−Ｒへの書き込み機能を備えていない場合にはコピーすることすらできない。
【００１１】
このように、デジタルカメラやカメラ付き携帯電話機で簡単に写真を撮影することはできるが、撮影した写真の画像データを有効に利用するには、画像データを汎用的なパソコンで利用できるＣＤ−Ｒ、ＤＶＤ−Ｒ等の情報記録媒体に記録することがバックアップしておくことが重要であり、この画像データのバックアップを簡単に行うことができるシステム、端末が求められている。
【００１２】
本発明は、上記問題点に鑑みてなされたものであって、その主たる目的は、簡単な操作で、１又は複数のデジタルカメラやカメラ付携帯電話機等の撮影機器や各種メディアに記録された画像データを１又は複数の他の情報記録媒体にコピーすることができるデータコピープログラム及びデータコピー端末を提供することにある。
【課題を解決するための手段】
【００１３】
上記目的を達成するため、本発明のプログラムは、コンピュータを、何枚のコンピュータ読取可能な情報記録媒体又は何台のコンピュータ認識可能な機器に記録されたデータから１枚のコンピュータ読取可能な情報記録媒体に記録するかの情報の受信手段として機能させるものであり、更に、前記コンピュータを、前記受信した情報に基づき、データ記録手段に、受信した枚数のコンピュータ読取可能な情報記録媒体又は受信した台数のコンピュータ認識可能な機器に記録されたデータを１枚のコンピュータ読取可能な情報記録媒体に記録させる手段として機能させる構成とすることができる。
【００１４】
また、本発明のプログラムは、コンピュータを、コンピュータ読取可能な情報記録媒体又はコンピュータ認識可能な機器に記録されたデータが、他のコンピュータ読取可能な情報記録媒体又はコンピュータ認識可能な機器に記録されたデータと共に１枚のコンピュータ読取可能な情報記録媒体に記録されるべきか否かの情報の受信手段として機能させるものであり、更に、前記コンピュータを、前記受信した情報に基づき関連付けられたコンピュータ読取可能な情報記録媒体又はコンピュータ認識可能な機器に記録されたデータを、データ記録手段に、１枚のコンピュータ読取り可能な情報記録媒体に記録させる手段として機能させる構成とすることができる。
【００１５】
また、本発明のプログラムは、コンピュータを、コンピュータ読取可能な情報記録媒体又はコンピュータ認識可能な機器に記録されるデータを、何枚のコンピュータ読取可能な情報記録媒体に記録するかの情報の受信手段として機能させるものであり、更に、前記コンピュータを、前記受信した情報に基づき、データ記録手段に、前記データを受信した枚数のコンピュータ読取可能な情報記録媒体に記録させる手段として機能させる構成とすることができる。
【００１６】
また、本発明のプログラムは、コンピュータを、データが記録されるコンピュータ読取可能な情報記録媒体がデータ記録手段において書き込み可能な状態となったことを示す信号、又は、データが読み取られるコンピュータ読取可能な情報記録媒体又はコンピュータ認識可能な機器がデータ読み取り手段において読み出し可能な状態となったことを示す信号とデータが記録されるコンピュータ読取可能な情報記録媒体がデータ記録手段において書き込み可能な状態となったことを示す信号とを、前記コンピュータ読取可能な情報記録媒体へのデータの記録指示の信号として受信する受信手段として機能させるものである。
【００１７】
また、本発明のプログラムは、コンピュータを、第１のコンピュータ読取可能な情報記録媒体に記録されたデータが第２のコンピュータ読取可能な情報記録媒体に記録されると、前記第１のコンピュータ読取可能な情報記録媒体に記録されたデータをデータ消去手段によって消去させる手段として機能させるものである。
【００１８】
また、本発明のプログラムは、コンピュータを、第１のコンピュータ読取可能な情報記録媒体に記録されたデータが第２のコンピュータ読取可能な情報記録媒体に記録されると、前記第１のコンピュータ読取可能な情報記録媒体に記録されたデータをデータ消去手段によって消去させるか否かを質問する情報を表示手段に表示させる手段として機能させるものであり、更に、前記コンピュータを、前記第１のコンピュータ読取可能な情報記録媒体に記録されたデータを消去する指示の信号として受信する受信手段として機能させる構成とすることができる。
【００１９】
また、本発明のデータコピー端末は、データの読み取り対象となる第１のコンピュータ読取可能な情報記録媒体又はコンピュータ認識可能な機器からデータを読み取る手段と、データの書き込み対象となる第２のコンピュータ読取可能な情報記録媒体にデータを記録する手段と、何枚の前記第１のコンピュータ読取可能な情報記録媒体又は何台の前記コンピュータ認識可能な機器に記録されたデータから１枚の前記第２のコンピュータ読取可能な情報記録媒体に記録するかの情報を設定する手段と、前記設定された情報に基づき、前記データ記録手段に、受信した枚数の前記第１のコンピュータ読取可能な情報記録媒体又は受信した台数の前記コンピュータ認識可能な機器に記録されたデータを１枚の前記第２のコンピュータ読取可能な情報記録媒体に記録させる制御を行う手段と、を備えるものである。
【００２０】
また、本発明のデータコピー端末は、データの読み取り対象となる第１のコンピュータ読取可能な情報記録媒体又はコンピュータ認識可能な機器からデータを読み取る手段と、データの書き込み対象となる第２のコンピュータ読取可能な情報記録媒体にデータを記録する手段と、前記第１のコンピュータ読取可能な情報記録媒体又は前記コンピュータ認識可能な機器に記録されたデータが、他の第１のコンピュータ読取可能な情報記録媒体又はコンピュータ認識可能な機器に記録されたデータと共に１枚の前記第２のコンピュータ読取可能な情報記録媒体に記録されるべきか否かの情報を設定する手段と、前記設定された情報に基づき関連付けられた前記第１のコンピュータ読取可能な情報記録媒体又は前記コンピュータ認識可能な機器に記録されたデータを、データ記録手段に、１枚の前記第２のコンピュータ読取り可能な情報記録媒体に記録させる制御を行う手段と、を備えるものである。
【００２１】
本発明においては、ＯＳとしてＩＴＲＯＮが使用され、記憶手段として少なくとも１つの前記第１のコンピュータ読取可能な情報記録媒体又は１台の前記コンピュータ認識可能な機器に記録されたデータを格納可能な容量のＲＡＭを備える構成とすることができる。
【００２２】
このように、本発明のデータコピープログラム及びデータコピー端末によれば、顧客は、スロットに各種メディアを挿入したり、接続端子にデジタルカメラやカメラ付き携帯電話機等の撮影機器を接続し、又、書き込みドライブにＣＤ−Ｒ／ＲＷやＤＶＤ±Ｒ／ＲＷ、ＤＶＤ−ＲＡＭ、Ｂｌｕ−ｒａｙディスク等の情報記録媒体を挿入するという操作と、画像データを読み出す各種メディアの数量や撮影機器の台数、画像データを書き込む情報記録媒体の枚数を入力したり、読み出しや書き込みを続けるかという問い合わせやメディアから画像データを消去するかという問い合わせに対してＹ／Ｎを選択するといった簡単な操作を行うのみで、データコピー端末で自動的にメディアや撮影機器から画像データが読み込まれて所望の枚数分、情報記録媒体にコピーされるため、パソコン操作に不慣れな顧客であっても簡単に画像データをバックアップすることができ、該情報記録媒体を用いることにより画像データを有効に利用することができる。
【発明の効果】
【００２３】
以上説明したように、本発明の画像データコピープログラム及びデータコピー端末によれば、複数のメディアやデジタルカメラ、カメラ付き携帯電話機等の撮影機器に記録された画像データを簡単に他の情報記録媒体に記録することができる。
【００２４】
その理由は、データコピー端末に、各種メディアや各種撮影機器から画像データを読み取るためのメディアスロットや接続端子、ＣＤ−Ｒ／ＲＷやＤＶＤ±Ｒ／ＲＷ、ＤＶＤ−ＲＡＭ、Ｂｌｕ−ｒａｙディスク等の汎用的な情報記録媒体に画像データを書き込むためのドライブ、メディアや情報記録媒体のセット信号や入力した情報を受信する手段、メディアや情報記録媒体の数の入力やＹ／Ｎの選択を行う操作部及び表示部とを備えているため、画面に指示に従ってメディアや情報記録媒体の挿入、操作部の操作を行うのみで画像データのコピーを実行することができるからである。
【００２５】
そして、本発明の方法で作成した情報記録媒体を顧客の端末で表示させることにより、各種メディアや撮影機器で取得した画像データを容易に閲覧、管理することができ、また、本発明の方法で作成した情報記録媒体を知人、友人等に提供することにより、画像データを用いた各種サービスの利用促進を図ることができる。
【発明を実施するための最良の形態】
【００２６】
本発明に係るデータコピー端末は、その好ましい一実施の形態において、画像データを読み込むメディアの数量やデジタルカメラ、カメラ付き携帯電話機等の撮影機器の台数、画像データを書き込むＣＤ−Ｒ／ＲＷやＤＶＤ±Ｒ／ＲＷ、ＤＶＤ−ＲＡＭ、Ｂｌｕ−ｒａｙディスク等の情報記録媒体の枚数等の入力や、読み出しや書き込みを続けるかという問い合わせやメディアから画像データを消去するかという問い合わせに対するＹ／Ｎの選択等の簡単な入力を行うための操作部及び表示部と、各種メディアから画像データを読み取るためのメディアスロットと、各種撮影機器から画像データを読み取るための接続端子と、画像データを情報記録媒体に書き込むためのドライブと、メディアや撮影機器が読み取り可能な状態となったことを示す信号、情報記録媒体が書き込み可能となったことを示す信号を検知し、操作部から入力された数値やＹ／Ｎの選択結果を参照して読み取り／書き込み動作を制御するＣＰＵ等の演算処理部と、コンピュータを上記制御手段として機能させるデータコピープログラムや読み取った画像データを記憶する記憶部とを備えるものであり、該データコピー端末をコンビニエンスストアやフォトサービス店舗等に設置することにより、顧客はメディアの挿入、撮影機器の接続、情報記録媒体の挿入と、上記数値の入力やＹ／Ｎの選択を行うのみで、１又は複数のメディアや撮影機器から読み取った画像データが自動的に１又は複数の情報記録媒体にコピーされるため、パソコン操作に不慣れな顧客や、各種メディアを挿入するスロット、各種撮影機器を接続する端子がないパソコンや、情報記録媒体に書き込む機能のないパソコンを所有する顧客であっても、画像データを簡単にバックアップすることができる。そして、この情報記録媒体を用いて写真プリント等の各種フォトサービスを利用したり、この情報記録媒体をプレゼント用途として活用することができる。
【実施例１】
【００２７】
上記した本発明の実施の形態についてさらに詳細に説明すべく、本発明の第１の実施例に係るデータコピープログラム及びデータコピー端末について、図１乃至図８及び図１１乃至図１４を参照して説明する。図１は、第１の実施例に係るデータコピー端末の外観構成を模式的に示す図であり、図２は、データコピー端末の機能を示すブロック図である。また、図３乃至図８は、画像データのコピー手順を示すフローチャート図及び梯子図である。また、図１１乃至図１４は、本実施例のデータコピー端末で記録されるデータのファイル構造を示す図である。なお、本発明における画像データとは、静止画像データ、動画データ、画像情報を含むデータなどが含まれるが、以下ではその代表として静止画像データを用いる場合について説明する。
【００２８】
図１及び図２（ａ）に示すように、本実施例のデータコピー端末１は、スマートメディア、コンパクトフラッシュ（登録商標）、メモリースティック（登録商標）、ＳＤメモリーカード、マルチメディアカードなどの写真の画像データが記録された情報記録媒体（以下、画像データを書き込む情報記録媒体と区別するために便宜的にメディア１３と呼ぶ。）を挿入するメディアスロット２と、必要に応じて、写真や動画を撮影したデジタルカメラ１４やカメラ付き携帯電話機１５等の撮影機器（以下、カメラ機能やムービー機能を備えたデジタル機器を撮影機器と呼ぶ。）を接続する接続端子１１と、これらのメディア１３や撮影機器から読み取った画像データをＣＤ−Ｒ等の情報記録媒体１６に書き込むＣＤ−Ｒドライブ８と、画像データを読み取るメディア１３の数量や撮影機器の台数、画像データをコピーする情報記録媒体１６の枚数、読み出しや書き込みを続けるかといった質問や読み出し後メディア１３や撮影機器から画像データを消去するかといった質問に対するＹ／Ｎの選択などの簡単な入力を行うための操作部１０及び表示部９と、メディア１３や撮影機器が読み取り可能な状態であることを示す信号や情報記録媒体１６が書き込み可能な状態であることを示す信号を検知し、上記操作部から入力された情報に基づいて読み取り動作や書き込み動作を制御するＣＰＵ等の演算処理部３と、読み取った画像データや後述するデータコピープログラム等を記憶するメモリ（記憶部４ａ）及びＨＤＤ（記憶部４ｂ）と、必要に応じて、デジタルカメラ１４やカメラ付き携帯電話機１５や他の携帯端末機器とＬＡＮ接続（有線、無線を問わない）するためのネットワーク接続部１２とを備え、これらが直接又はＵＳＢポート６等を介してマザーボード７に接続されている。
【００２９】
また、データコピープログラムは、上記手段のうち少なくとも、コンピュータを、メディア１３や撮影機器が読み取り可能な状態であることを示す信号や情報記録媒体１６が書き込み可能な状態であることを示す信号を検知し、画像データを読み取るメディア１３の数量や撮影機器の台数、画像データをコピーする情報記録媒体１６の枚数、読み出しや書き込みを続けるかといった質問や読み出し後メディア１３や撮影機器から画像データを消去するかといった質問に対するＹ／Ｎの選択などの情報を受信して、該情報に基づいて読み取り動作や書き込み動作を制御する手段として機能させるものである。
【００３０】
なお、ここでいうコンピュータとは、ＣＰＵ、ＲＯＭ、ＲＡＭ、Ｉ／ＯがＢＵＳにより接続されて構成されるものをいい、マイクロコンピュータやマイクロプロセッサを含むものをいう。従って、この形態からなる構成がいかなる機器に搭載されていたとしても本願発明が適用される。例えば、図１では、卓上型の店頭端末で上記手段を実現しているが、写真店やコンビニエンスストア等の店舗に設置可能なキオスク型の端末としてもよいし、上記ソフトウェア（データコピープログラム）がインストールされたパソコンとしたり、専用のセットトップボックスとしたり、ポータブルライターなどとしてもよいし、記憶手段や演算手段を備えたＤＶＤレコーダなどとしてもよい。
【００３１】
また、図１では、メディアスロット２は各種メディア１３が装着可能なオールインワンのスロットを一つ設ける構成としているが、各々のメディア１３に対応するスロットを別々に設ける構成としてもよく、オールインワンのスロットを複数設ける構成としてもよい。また、以下では情報記録媒体１６としてＣＤ−Ｒを用いる場合について説明するため書き込み手段としてＣＤ−Ｒドライブ８を設けているが、情報記録媒体１６はＣＤ−Ｒに限らず、データサイズの大きい画像データを記録することができる汎用的な媒体、例えば、ＣＤ−ＲＷやＤＶＤ±Ｒ／ＲＷ、ＤＶＤ−ＲＡＭ、Ｂｌｕ−ｒａｙディスク、ＭＯ等を用いてもよく、その場合は書き込み手段は情報記録媒体１６に適したドライブとすればよい。このＣＤ−Ｒドライブ８をデータコピー端末１に一つ設け、複数のＣＤ−Ｒに画像データをコピーする場合に順次ＣＤ−Ｒを交換する構成としてもよいが、複数のＣＤ−Ｒドライブ８を設けて各々のドライブで書き込みを行う構成としてもよい。また、以下の説明では、予め顧客が店舗内でデータが書き込まれていないブランクＣＤを購入してデータコピー端末１のＣＤ−Ｒドライブ８に装着する構成とするが、データコピー端末１内にＣＤチェンジャーを備え、端末内に蓄えたブランクＣＤを順次ＣＤ−Ｒドライブ８に装填する構成とすることもできる。その場合はデータコピー端末１に料金徴収機構を設けて所定の料金が挿入されたら画像データのコピーを開始するようにすることができる。
【００３２】
上記構成のデータコピー端末１を用いて、情報記録媒体に画像データがコピーされるまでの手順について、図３のフローチャート図及び図４の梯子図を参照して説明する。なお、以下では説明を容易にするために顧客がメディア１３を持ち込んだ場合について説明するが、デジタルカメラ１４やカメラ付き携帯電話機１５等の撮影機器を持ち込んだ場合も同様に適用することができ、接続端子１１にこれらの撮影機器を接続すると、データコピー端末１の機能により撮影機器を認識することができ、内部の記憶手段に記憶された画像データを読み出すことができる。
【００３３】
まず、ステップＳ１０１及び１０２（図４の（ａ）、（ｂ））において、ＣＰＵは表示部９に、画像データが記録されたメディア１３の数量と画像データを書き込む情報記録媒体１６の枚数の入力を求める画面を表示する。なお、この表示部９は、図１ではデータコピー端末１本体と一体化した構成としているが、外部に設けた表示部（テレビやレジ、端末のディスプレイ等）に情報を表示する構成としてもよい。また、本発明では表示部９に表示する情報はメディア１３や情報記録媒体１６の数量、Ｙ／Ｎの選択等の情報のみであるため大きな表示領域を備える必要はなく、データコピー端末１本体に１〜２行程度の文字を表示できる小型のディスプレイを設ける構成としてもよい。その後、顧客が十字カーソルボタンや操作ボタン等の操作部１０を操作して、画像データを読み込むメディア１３の数や画像データを書き込む情報記録媒体１６の枚数を入力するとＣＰＵは入力された情報を受信する（図４の（ｃ））。
【００３４】
次に、ステップＳ１０３（図４の（ｄ））で、ＣＰＵはメディアスロット２にメディア１３がセットされたかを検知する。検知方法としては、メディア１３がメディアスロット２に挿入され、メディアスロット２内の読み取り手段がメディア１３にアクセス可能な状態になると該読み取り手段からメディア１３のセット信号が送出されるため、ＣＰＵはこの信号を受信してメディアスロット２にメディア１３があることを検知することができる。そして、ＣＰＵは、ステップＳ１０４（図４の（ｅ））で、メディア１３に画像データが記録されているかを調べ、画像データがある場合は、ステップＳ１０６（図４の（ｆ））で、表示部９に画像を表示するか否かを選択する画面を表示する。また、メディア１３内に画像データが記録されていない場合には、ステップＳ１０５で表示部９に例えば「画像がありません」と表示し、ステップＳ１０３に戻ってメディア１３の検知を行う。なお、画像データを表示するか否かの選択ステップや画像データがない場合のメッセージ表示は省略することができる。
【００３５】
次に、画像を表示する場合には、操作部１０を用いて”Ｙ”を選択又は入力すると（図４の（ｇ））、ＣＰＵはメディア１３から読み取った画像データを表示部９に送り、ステップＳ１０７（図４の（ｈ））で表示部９は一覧形式で画像を表示する。そして、ステップＳ１０８（図４の（ｉ））で、顧客が操作部１０を用いて画像を選択すると、ステップＳ１０９（図４の（ｊ））で、選択した画像データがＣＰＵから記憶部４ａ、４ｂに送信され記憶（メモリ（記憶部４ａ）に取り込まれた後、ＨＤＤ（記憶部４ｂ）で一時保管）される。なお、ステップＳ１０６で”Ｎ”を選択又は入力した場合は、ステップＳ１０９でメディア１３に記録された全ての画像データが記憶部４ａ、４ｂに記憶される。また、表示部９として小型のディスプレイを用いる場合には画像を表示することができないため、ステップＳ１０３でメディア１３を検知したら、ステップＳ１０９でメディア１３内に記録されている全ての画像データを記憶部４ａ、４ｂに記憶する。
【００３６】
次に、ステップＳ１１０（図４の（ｋ））で、ＣＰＵは表示部９にメディア１３の画像データを消去するかの選択画面を表示し、図４の（ｌ）で”Ｙ”を入力すると、ステップＳ１１１（図４の（ｍ））で該画像データを消去する。なお、この画像データ消去ステップは必ずしも必要ではなく省略してもよい。
【００３７】
次に、ステップＳ１１２（図４の（ｎ））で、ＣＰＵは画像データを読み取ったメディア１３の数がステップＳ１０１で入力したメディア数に達したかを判断し、達していない場合はステップＳ１０３に戻り、達した場合はステップＳ１１３（図４の（ｏ））で表示部９上にＣＤ−ＲをＣＤ−Ｒドライブ８にセットすることを求めるＣＤ−Ｒセット要求画面を表示する。
【００３８】
そして、顧客がＣＤ−Ｒドライブ８にＣＤ−Ｒをセットして該ＣＤ−Ｒが書き込み可能な状態になると、図４の（ｐ）でＣＤ−Ｒドライブ８からＣＰＵにＣＤ−Ｒのセット信号が送られ、ステップＳ１１４（図４の（ｑ））で、ＣＰＵは記憶部４ａ、４ｂに記憶された画像データをＣＤ−Ｒドライブ８に送り、ＣＤ−Ｒへの書き込みを行う。なお、予めＣＤ−Ｒドライブ８にＣＤ−Ｒがセットされている場合（例えば、メディア１３を挿入するときにＣＤ−Ｒの挿入も行った場合等）は、ＣＤ−Ｒセット要求画面の表示を省略し、ＣＰＵは直ちにステップＳ１１４の書き込みを開始してもよい。そして、書き込みが完了するとＣＤ−Ｒドライブ８はＣＰＵに書き込み終了信号を送る（図４の（ｒ））。
【００３９】
なお、画像データの書き込みに際して、画像データはＣＤ−Ｒ等の情報記録媒体１６にどのような構造、形式で書き込んでもよく、メディア１３から読み出した順番に書き込んだり、ｅｘｉｆ形式の画像データの場合はヘッダ情報を参照して日付順に並び替えて書き込んだり、同じファイル名の画像データが存在する場合を想定して名前を変えて書き込んだり、図１１に示すようにメディア１３毎（又は機器毎など）に一つのグループとして書き込んだり（図では、２つのメディア１３に記録された画像データをフォルダごと読み取って情報記録媒体１６に並べて書き込む場合を示している。）、画像表示ソフトでランダムに表示する場合を想定してランダムな順番で書き込んでもよい。更に、単にメディア１３毎や機器毎に画像データを分類して書き込むのではなく、画像データのヘッダ領域などに記述された撮影日時や記録日時、書き換え日時などの日時情報やファイル名を利用して画像データを分類し直して書き込むこともできる。例えば、図１２に示すように、画像データのヘッダ領域から該画像データの日時情報を取得したり、画像データのファイル名が日時情報に基づいて生成されている場合はファイル名から日時情報を取得し、この日時情報を参照して、日時毎又は予め定められた一定の期間毎（例えば、１週間毎や１ヶ月毎など）に画像ファイルをグループ分けしたり（図では日時毎に分類する場合を示している。）、例えば、図１３に示すように、ファイル名の一部（図１３の場合はファイル名の先頭の３文字）が共通する画像データを同じグループに分類して記録することもできる。
【００４０】
また、図１１乃至図１３の例において、画像データを分類して格納するフォルダの名称やフォルダの階層構造は任意であり、分類が容易になるようにユニークなフォルダ名を付与してもよい。例えば、図１４に示すような名称のフォルダ（PR_XXXXXXX_yymmdd_TTCCCNNN：XXXXXXXは書き込みが行われるロケーション、装置ごとの固有ＩＤ情報などのロケーションＩＤ、yymmddは書き込み年月日を特定する数字、TTは装置を特定する数字(マシン通し番号など)、CCCはシーケンシャル番号、NNNは所定の単位毎（例えば、メディア毎や機器毎など）のシーケンシャル番号）を作成して、読み取った画像データを格納してもよいし、メディア毎や機器毎の画像データを格納するフォルダの上位に別のフォルダ（例えば、PS_IMAGEなど）を作成してデータ構造を明確にしてもよい。
【００４１】
また、画像データとして静止画像データが入力された場合、静止画像データとしてＣＤ−Ｒ等の情報記録媒体１６に書き込んでもよいが、静止画像データから動画データを作成した後、作成した動画データ（又は元の静止画像データと作成した動画データ）をＶｉｄｅｏ−ＣＤ形式やＤＶＤ−Ｖｉｄｅｏ形式、ＨＤＴＶ形式などに変換して情報記録媒体１６に書き込んでもよい。このような構成とすれば画像データに基づく画像をＤＶＤプレーヤやＤＶＤレコーダ、ゲーム機などの画像再生機器で再生することが可能となり便利である。この場合において、静止画像データから動画データを作成する方法は特に限定されず、例えば、静止画像データをスライドショーのように表示する場合は、静止画像データにスライド表示の時間分の差分０のデータを付加して動画ファイルを生成したり、静止画像ファイルにスライドショープログラムで設定されたスライド効果に基づく差分データを付加して動画ファイルを生成すればよい。
【００４２】
次に、ステップＳ１１５（図４の（ｓ））で、ＣＰＵは書き込みを行ったＣＤ−Ｒ数がステップＳ１０２で入力したＣＤ−Ｒ数に達したかを判断し、達していない場合はステップＳ１１３に戻ってＣＤ−Ｒセット要求画面を表示し、達した場合は、ステップＳ１１６（図４の（ｔ））で、表示部９上にコピー終了の表示を行い、一連の動作を終了する。なお、メディア１３の数が複数の場合は、メディア１３の差し替えの前に画像データを消去する必要があるが、メディア１３が一つの場合や複数のメディアスロット２に各々のメディア１３が挿入されている場合は画像データの消去をＣＤ−Ｒに書き込んだ後に行うこともできる。その場合はステップＳ１１５の後にＳ１１０とＳ１１１のステップを行えばよい。
【００４３】
上記手順は顧客が予め読み取るメディア１３の数や書き込むＣＤ−Ｒの枚数を入力する場合の手順であるが、これらの数量を入力せずにその都度Ｙ／Ｎを選択して画像データのコピーを実行することもできる。その場合の手順について、図５のフローチャート図及び図６の梯子図を参照して説明する。
【００４４】
まず、ステップＳ２０１（図６の（ａ））で、ＣＰＵはメディアスロット２にメディア１３がセットされたかを検知し、ステップＳ２０２（図６の（ｂ））で、メディア１３に画像データが記録されているかを調べ、画像データがある場合は、ステップＳ２０４（図６の（ｃ））で、表示部９に画像を表示するか否かを選択する画面を表示する。また、メディア１３内に画像データが記録されていない場合には、ステップＳ２０３で表示部９に例えば「画像がありません」と表示し、ステップＳ２０１に戻ってメディア１３の検知を行う。
【００４５】
次に、画像を表示する場合には、操作部１０を用いて”Ｙ”を選択又は入力すると（図６の（ｄ））、ＣＰＵはメディア１３から読み取った画像データを表示部９に送り、ステップＳ２０５（図６の（ｅ））で表示部９は一覧形式で画像を表示する。そして、ステップＳ２０６（図６の（ｆ））で、顧客が操作部１０を用いて画像を選択すると、ステップＳ２０７（図６の（ｇ））で、選択した画像データがＣＰＵから記憶部４ａ、４ｂに送信され記憶される。なお、ステップＳ２０４で”Ｎ”を選択又は入力した場合は、ステップＳ２０７でメディア１３に記録された全ての画像データが記憶部４ａ、４ｂに記憶される。また、表示部９として小型のディスプレイを用いる場合には、ステップＳ２０１でメディア１３を検知したら、ステップＳ２０７でメディア１３内に記録されている全ての画像データが記憶部４ａ、４ｂに記憶される。
【００４６】
次に、ステップＳ２０８（図６の（ｈ））で、ＣＰＵは表示部９にメディア１３の画像データを消去するかの選択画面を表示し、図６の（ｉ）で”Ｙ”を入力すると、ステップＳ２０９（図６の（ｊ））で該画像データを消去する。なお、この画像データ消去ステップは省略してもよい。
【００４７】
次に、前記した手順ではＣＰＵで画像データを読み取ったメディア１３の数が入力したメディア数に達したかを自動的に判断したが、ここでは、ステップＳ２１０（図６の（ｋ））で、ＣＰＵは表示部９に次のメディア１３を読み込むか否かを選択する画面を表示し、顧客が操作部１０を用いて”Ｙ”を選択又は入力した場合はステップＳ２０１に戻って次のメディア１３を検知し、”Ｎ”を選択又は入力した場合（図６の（ｌ））は、ステップＳ２１１（図６の（ｍ））で表示部９上にＣＤ−ＲをＣＤ−Ｒドライブ８にセットすることを求める画面を表示する。
【００４８】
そして、顧客がＣＤ−Ｒドライブ８にＣＤ−Ｒをセットして書き込み可能な状態になると、図６の（ｎ）でＣＤ−Ｒドライブ８からＣＰＵにＣＤ−Ｒのセット信号が送られ、ステップＳ２１２（図６の（ｏ））で、ＣＰＵは記憶部４ａ、４ｂに記憶された画像データをＣＤ−Ｒドライブ８に送り、ＣＤ−Ｒへの書き込みを行う。そして、書き込みが完了するとＣＤ−Ｒドライブ８はＣＰＵに書き込み終了信号を送る（図６の（ｐ））。なお、本手順においても、画像データをメディア１３毎や機器毎に分類して書き込んだり、画像データのヘッダ領域などに記述された日時情報やファイル名を利用して、日時毎又は予め定められた一定の期間毎に画像ファイルをグループ分けしたり、ファイル名の一部が共通する画像データを同じグループに分類して記録することもでき、また、静止画像データが入力された場合に、静止画像データから動画データを作成／変換した後、作成／変換した動画データ（又は元の静止画像データと作成した動画データ）を情報記録媒体１６に書き込んでもよい。
【００４９】
次に、前記した手順ではＣＰＵで画像データを書き込んだＣＤ−Ｒの数が入力したＣＤ−Ｒ数に達したかを自動的に判断したが、ここでは、ステップＳ２１３（図６の（ｑ））で、ＣＰＵは表示部９に次のＣＤ−Ｒに書き込むか否かを選択する画面を表示し、顧客が操作部１０を用いて”Ｙ”を選択又は入力した場合はステップＳ２１１に戻ってＣＤ−Ｒセット要求画面を表示、”Ｎ”を選択又は入力した場合（図６の（ｒ））は、ステップＳ２１４（図６の（ｓ））で、表示部９上にコピー終了の表示を行い、一連の動作を終了する。
【００５０】
また、上記手順では、画像データを読み込むメディア１３の数も、画像データを書き込むＣＤ−Ｒの数も入力せずにその都度Ｙ／Ｎを選択する構成としたが、いずれか一方を予め入力する構成とすることもできる。例えば、画像データを書き込むＣＤ−Ｒの枚数のみを入力する場合は、図７に示すフローチャート図のようになり、ステップＳ３０１でＣＰＵは表示部９に、画像データを書き込むＣＤ−Ｒの枚数の入力を求める画面を表示し、顧客は十字カーソルボタンや操作ボタン等の操作部１０を操作して、ＣＤ−Ｒの枚数を入力する。また、画像データを読み込むメディア１３（撮影機器）の数のみを入力する場合は、図８に示すフローチャート図のようになり、ステップＳ４０１でＣＰＵは表示部９に、画像データを読み込むメディア１３（撮影機器）の数の入力を求める画面を表示し、顧客は十字カーソルボタンや操作ボタン等の操作部１０を操作して、メディア１３（撮影機器）の数を入力する。その後、図３乃至図６のフローと同様に画像データのコピーを実行する。
【００５１】
以上の説明は、データコピー端末１の各手段を動作させるＯＳとしてウィンドウズ（Ｒ）を用いる場合の一般的な構成における動作であるが、この構成ではメディアスロット２でメディア１３から読み取った画像データはメモリ（記憶部４ａ）に取り込まれた後、ＨＤＤ（記憶部４ｂ）で一時保管されるため、ＨＤＤにアクセスする回数が多くなり、多数のメディア１３から多数の画像データを読み込む場合には処理に時間がかかる。そのような場合には、リアルタイム性を重視して設計されたＯＳであるＴＲＯＮ（The Real-time Operating system Nucleus）の一つである組込み用ＴＲＯＮ（ＩＴＲＯＮ）を用いることもできる。
【００５２】
このＩＴＲＯＮはきわめて小さい容量で構成することができるという特徴があり、ウィンドウズ（Ｒ）のように大容量のＨＤＤを必要としない。例えば、ＩＴＲＯＮを用いた場合のシステム構成は図２（ｂ）に示すようになり、記憶部はメモリ（記憶部５ａ）の他に、ＯＳやアプリケーションを記憶するためのＲＯＭ（記憶部５ｂ）とメディア１３内の画像データを一括して記憶できる容量のＲＡＭ（記憶部５ｃ）とで構成され、記憶部５ｂ、５ｃによりＯＳやアプリケーションの動作、画像データの書き込み／読み出し動作の高速化を図ることができる。なお、本発明のデータコピー端末１は、図２（ａ）、（ｂ）のいずれの構成でも動作させることはできるが、より高速動作が求められる場合には図２（ｂ）のＩＴＲＯＮをＯＳとして用いる構成の方が好ましいと言える。
【００５３】
以上説明したように、本実施例の構成によれば、顧客は各種メディア１３をメディアスロット２に挿入したり、デジタルカメラ１４やカメラ付き携帯電話機１５を接続端子１１に接続したり、ＣＤ−Ｒ等の情報記録媒体１６をＣＤ−Ｒドライブ８に挿入する操作と、表示部９、操作部１０を用いて、何枚のメディア１３やいくつの撮影機器から何枚のＣＤ−Ｒを作成するかを指示したりＹ／Ｎを入力する操作のみで、自動的に１又は複数のメディア１３や撮影機器に記録された画像データが１又は複数のＣＤ−Ｒ等の情報記録媒体１６にコピーされるため、パソコン操作に不慣れな顧客やメディアスロット２、接続端子１１やＣＤ−Ｒ書き込み機能のないパソコンを所有する顧客であっても簡単に画像データのバックアップを行うことができる。そして、この方法で作成されたＣＤ−Ｒを用いて写真プリントの注文をしたり、プレゼント用途としても他の顧客に提供することができ、画像データを用いた各種サービスの利用促進を図ることができる。
【実施例２】
【００５４】
次に、本発明の第２の実施例に係るデータコピープログラム及びデータコピー端末について、図９及び図１０を参照して説明する。図９及び図１０は、画像データのコピー手順を示すフローチャート図及び梯子図である。
【００５５】
前記した第１の実施例では、顧客が画像データを読み込むメディア１３や撮影装置の数、画像データを書き込む情報記録媒体１６の数を入力したり、Ｙ／Ｎを選択してコピーを実行する場合について説明したが、これらの操作を簡略化することもできる。以下、その具体的な手順について説明する。なお、本実施例では、画像データの開始を指示してからコピーが終了するまでの動作を簡略化することを目的としているため、メディア１３や情報記録媒体１６の入れ替え、撮影機器の再接続を不要とするため、データコピー端末１にはメディアスロット２、ＣＤ−Ｒドライブ８、接続端子１１を媒体や機器の数以上備えているものとする。また、データコピー端末１は図２（ａ）に示す構成とするが、第１の実施例と同様にＯＳとしてＩＴＲＯＮを用い、取り込んだ画像データを一括して記憶できる容量のＲＡＭを備える図２（ｂ）の構成としてもよい。
【００５６】
まず、ステップＳ５０１で、顧客は画像データを読み込むメディア１３をメディアスロット２に挿入（デジタルカメラ１４やカメラ付き携帯電話機１５等の撮影機器を接続端子１１に接続）し、作成する枚数分のＣＤ−ＲをＣＤ−Ｒドライブ８に挿入した後に、ステップＳ５０２（図１０の（ａ））で、顧客は操作部１０に設けたスタートボタンを押して、ＣＰＵに画像データのコピー開始を指示する。
【００５７】
すると、ステップＳ５０３（図１０の（ｂ）及び（ｃ））で、ＣＰＵは各メディアスロット２から送出されるメディアセット信号（メディア１３が読み取り可能な状態となったことを示す信号）及び各ＣＤ−Ｒドライブ８から送出されるＣＤ−Ｒセット信号（ＣＤ−Ｒが書き込み可能な状態となったことを示す信号）を受信して、メディアスロット２に挿入されたメディア１３の数及びＣＤ−Ｒドライブ８に挿入されたＣＤ−Ｒの数を取得する。
【００５８】
次に、ＣＰＵは各メディアスロット２に順次アクセスしてメディア１３から画像データを読み取るが、その際、第１の実施例ではメディア１３内に画像データがあるか否かを判断し、画像データがある場合に表示部９に画像を表示するかを選択する画面を表示し、顧客は必要に応じて画像の選択を行ったが、本実施例では極力操作を不要とするために、ステップＳ５０４でメディア１３に画像データがあるかを判断し、ある場合にはステップＳ５０５（図１０の（ｄ））でメディア１３から読み取った画像データを記憶部４ａ、４ｂに記憶する。また、メディア１３に画像データがない場合には表示部９に表示することなく、ステップＳ５０５をスキップする。
【００５９】
次に、メディア１３から画像データを消去する場合には、ステップＳ５０６（図１０の（ｅ））でＣＰＵはメディアスロット２にメディア１３内の画像データを消去するように指示する。なお、この画像データの消去ステップは必ずしも必要ではなく省略してもよい。また、本実施例の場合は、メディア１３は全てメディアスロット２に挿入されているため、画像データの書き込みが終了した後に消去ステップを実行してもよい。
【００６０】
次に、ステップＳ５０７（図１０の（ｆ））で、ＣＰＵは画像データの読み取りが終了したメディア１３の数とステップＳ５０３で取得したメディア１３の数とを比較して全てのメディア１３を読み込んだかを判断し、読み取っていないメディア１３がある場合はステップＳ５０４に戻り、全てのメディア１３を読み取ったら、ステップＳ５０８（図１０の（ｇ））で記憶部４ａ、４ｂに記憶した画像データをＣＤ−Ｒに書き込む。なお、ＣＤ−Ｒドライブを複数備える場合に、画像データは順番に書き込んでもよいし、同時に書き込んでもよい。また、本手順においても、画像データをメディア１３毎や機器毎に分類して書き込んだり、画像データのヘッダ領域などに記述された日時情報やファイル名を利用して、日時毎又は予め定められた一定の期間毎に画像ファイルをグループ分けしたり、ファイル名の一部が共通する画像データを同じグループに分類して記録することもでき、また、静止画像データが入力された場合に、静止画像データから動画データを作成／変換した後、作成／変換した動画データ（又は元の静止画像データと作成した動画データ）を情報記録媒体１６に書き込んでもよい。
【００６１】
次に、図１０の（ｈ）で、ＣＰＵがＣＤ−Ｒドライブから書き込み終了信号を受信したら、ステップＳ５０９（図１０の（ｉ））で書き込みが終了したＣＤ−Ｒ数とステップＳ５０３で取得したＣＤ−Ｒ数とを比較して全てのＣＤ−Ｒに書き込んだかを判断し、書き込んでいないＣＤ−Ｒがある場合はステップＳ５０８に戻り、全てのＣＤ−Ｒに書き込んだら、ステップ５１０（図１０の（ｊ））で、表示部９にコピー終了を示す表示を行う。なお、コピー終了表示は画面上に表示する必要はなく、データコピー端末１に予め設けたランプを点灯／点滅したり、ＣＤ−Ｒドライブ８からＣＤ−Ｒを排出する等、コピーが終了したことを顧客が認識できる方法であればよい。このような方法を用いることにより、表示部９を省略することができる。
【００６２】
このように、データコピー端末１のＣＰＵで、メディアスロット２に挿入されたメディア１３の数、ＣＤ−Ｒドライブ８に挿入されたＣＤ−Ｒの数を自動的に取得することにより、顧客はメディア１３やＣＤ−Ｒを挿入してスタートボタンを押すのみで１又は複数のメディア１３（撮影機器）から読み取った画像データを１又は複数のＣＤ−Ｒ等の情報記録媒体１６に記録することができるため、データコピー端末１の操作をより簡単にすることができる。
【００６３】
なお、本発明は上記実施例に限定されるものではなく、簡単な操作で１又は複数のメディア１３や撮影機器から１又は複数の情報記録媒体１６に画像データを書き込むことができる方法であればよい。また、上記説明では、画像データをコピーする構成としたが、任意の媒体、機器に記録された任意のデータを他の情報記録媒体にコピーする端末及びプログラムに適用することもできる。
【図面の簡単な説明】
【００６４】
【図１】本発明の第１の実施例に係るデータコピー端末の外観構成を示す図である。
【図２】本発明の第１の実施例に係るデータコピー端末の機能を示すブロック図であり、（ａ）はＯＳとしてウィンドウズ（Ｒ）を用いた構成、（ｂ）はＯＳとしてＩＴＲＯＮを用いた構成である。
【図３】本発明の第１の実施例に係る画像データのコピー手順を示すフローチャート図である。
【図４】本発明の第１の実施例に係る画像データのコピー手順を示す梯子図である。
【図５】本発明の第１の実施例に係る画像データのコピー手順の他の例を示すフローチャート図である。
【図６】本発明の第１の実施例に係る画像データのコピー手順の他の例を示す梯子図である。
【図７】本発明の第１の実施例に係る画像データのコピー手順の他の例を示すフローチャート図である。
【図８】本発明の第１の実施例に係る画像データのコピー手順の他の例を示すフローチャート図である。
【図９】本発明の第２の実施例に係る画像データのコピー手順を示すフローチャート図である。
【図１０】本発明の第２の実施例に係る画像データのコピー手順を示す梯子図である。
【図１１】本発明の第１の実施例に係る情報記録媒体に記録される画像データの記録構造を示す図である。
【図１２】本発明の第１の実施例に係る情報記録媒体に記録される画像データの記録構造を示す図である。
【図１３】本発明の第１の実施例に係る情報記録媒体に記録される画像データの記録構造を示す図である。
【図１４】本発明の第１の実施例に係る情報記録媒体に記録される画像データの記録構造を示す図である。
【符号の説明】
【００６５】
１  データコピー端末
２  メディアスロット
３  演算処理部
４ａ、４ｂ  記憶部
５ａ、５ｂ、５ｃ  記憶部
６  ＵＳＢポート
７  マザーボード
８  ＣＤ−Ｒドライブ
９  表示部
１０  操作部
１１  接続端子
１２  ネットワーク接続部
１３  メディア
１４  デジタルカメラ
１５  カメラ付き携帯電話機
【図１】
2004199854.tif 000003
【図２】
2004199854.tif 000004
【図３】
2004199854.tif 000005
【図４】
2004199854.tif 000006
【図５】
2004199854.tif 000007
【図６】
2004199854.tif 000008
【図７】
2004199854.tif 000009
【図８】
2004199854.tif 000010
【図９】
2004199854.tif 000011
【図１０】
2004199854.tif 000012
【図１１】
2004199854.tif 000013
【図１２】
2004199854.tif 000014
【図１３】
2004199854.tif 000015
【図１４】
2004199854.tif 000016